(57)【特許請求の範囲】
【請求項１】
カメラにより撮像された画像を監視者により監視する監視システムにおいて、
画像を撮像する複数のカメラと、
前記カメラにより撮像された画像にアクセスすることが可能な複数の監視者の端末装置と、
前記カメラ或いは前記カメラにより撮像された画像について、前記端末装置からのアクセスの数に関する情報を検出する検出手段と、
前記検出手段により検出された情報に基づいて、前記カメラの配置を表した地図上において前記端末装置からのアクセスの数を識別可能な態様で、前記カメラ或いは前記カメラにより撮像された画像に関する情報を、前記端末装置により前記監視者に対して提示する提示手段と、
前記端末装置により前記監視者による操作に応じた処理の指示を受け付ける受付手段と、
前記受付手段により受け付けられた指示に係る処理を実行する実行手段と、
を備えたことを特徴とする監視システム。
【請求項２】
カメラにより撮像された画像を監視者により監視する監視システムによる監視方法において、
前記監視システムは、画像を撮像する複数のカメラと、前記カメラにより撮像された画像にアクセスすることが可能な複数の監視者の端末装置と、検出手段と、提示手段と、受付手段と、実行手段と、を備え、
前記検出手段が、前記カメラ或いは前記カメラにより撮像された画像について、前記端末装置からのアクセスの数に関する情報を検出し、
前記提示手段が、前記検出手段により検出された情報に基づいて、前記カメラの配置を表した地図上において前記端末装置からのアクセスの数を識別可能な態様で、前記カメラ或いは前記カメラにより撮像された画像に関する情報を、前記端末装置により前記監視者に対して提示し、
前記受付手段が、前記端末装置により前記監視者による操作に応じた処理の指示を受け付け、
前記実行手段が、前記受付手段により受け付けられた指示に係る処理を実行する、
ことを特徴とする監視方法。
【発明の詳細な説明】
【技術分野】
【０００１】
本発明は、映像（画像）の監視システムに関し、特に、効果的な監視を行うことを可能としたオープン型の監視システムに関する。
【背景技術】
【０００２】
カメラのデジタル化が進み、ＬＡＮ（Ｌｏｃａｌ  Ａｒｅａ  Ｎｅｔｗｏｒｋ）などのネットワークを介して映像を伝送し、監視センタで集約された映像を特定の監視員が監視する監視システムが一般的となっている。
しかしながら、インターネットを介して不特定多数のユーザがカメラ映像を監視し、場合によっては通報を行う監視システムは存在しない。また、インターネット上に公開されるＷＥＢカメラの映像は、映像の閲覧が主目的であり、監視に使用した例や、通報などの目的に使用した例は見かけない。
【０００３】
画像記録についても、センタで集中的に映像データを蓄積し、配信するシステムは存在するが、分散的に配置された蓄積・配信サーバを動的に管理し、重要度に応じて記録画像を複数の蓄積・配信サーバで共有化するシステムは存在しない。
また、大手検索エンジンなどでアクセス数や入札により決定した順番でＷＥＢページへのリンク表示を行うシステムは存在するが、ＷＥＢカメラ画像の検索において、アクセス数の多いＷＥＢカメラ、記録画像を重要性が高い監視ポイント、記録画像として、監視業務や検索作業の補助として利用する監視システムは存在しない。
【０００４】
【特許文献１】特開２００３−３１７１６８号公報
【特許文献２】特開２００３−１８８８００号公報
【特許文献３】特開２００２−７７８８２号公報
【特許文献４】特開平１１−３３１８１５号公報
【特許文献５】特開２００２−１０１４０７号公報
【発明の開示】
【発明が解決しようとする課題】
【０００５】
従来において、伝送路としてネットワークを利用した監視システムで、カメラ台数が非常に多い大規模監視システムでは、カメラ台数が多いほど１台当たりのカメラ映像に対する監視時間が減少し、限られた監視員では監視業務が疎かになる懸念があった。カメラ台数が多いほど、監視カメラに対して、事故、事件が発生した場合に、いずれのカメラが重要であるか、いずれのカメラの映像をモニタするか、いずれのカメラの記録画像を参照すればよいか、を判断するために時間を要していた。
【０００６】
また、各カメラの映像は、いずれの映像が重要であるかという区分がなく互いに独立しているため、参照すべき映像が見つかっても、その映像の中から監視員が重要な画像（例えば、警察へ提供する画像など）をモニタしながら探すしかなかった。
また、従来の集約型の監視システムでは、監視センタの設備に大容量の画像記録装置を設置する必要があるため、ネットワークに対する負荷が増大するという問題もあった。
【０００７】
本発明は、このような従来の事情に鑑み為されたもので、例えば、オープン型の映像（画像）の監視において、効果的な監視を行うことを可能とした監視システムを提供することを目的とする。
【課題を解決するための手段】
【０００８】
上記目的を達成するため、本発明では、カメラにより撮像された画像（映像）を監視者により監視する監視システムにおいて、次のような構成とした。
すなわち、画像を撮像する複数のカメラと、前記カメラにより撮像された画像にアクセスすることが可能な複数の監視者の端末装置と、を備えた。
そして、検出手段が、前記カメラ或いは前記カメラにより撮像された画像について、前記端末装置からのアクセスの数に関する情報を検出する。提示手段が、前記検出手段により検出された情報に基づいて、前記端末装置からのアクセスの数に応じた態様で、前記カメラ或いは前記カメラにより撮像された画像に関する情報を、前記端末装置により前記監視者に対して提示する。受付手段が、前記端末装置により前記監視者による操作に応じた処理の指示を受け付ける。実行手段が、前記受付手段により受け付けられた指示に係る処理を実行する。
【０００９】
従って、端末装置からのアクセスの数に応じた態様で、カメラ或いは画像に関する情報が監視者に対して提示されるため、監視者はアクセスの状況を容易に把握することができ、例えば、監視者は、このような提示内容を見て参考として、各種の処理の指示を行うことなどができる。例えば、オープン型の映像（画像）の監視において、効果的な監視を行うことを可能とすることができる。
【００１０】
ここで、カメラとしては、種々なものが用いられてもよく、例えば、ＷＥＢカメラを用いることができる。
また、端末装置としては、種々なものが用いられてもよく、例えば、パーソナルコンピュータ（ＰＣ）などを用いることができる。
また、監視者（人）としては、種々な者であってもよく、例えば、不特定多数の者を用いることができる。或いは、秘密事項などがある場合には、限られた者のみを監視者とすることも可能である。
また、複数のカメラの数や、複数の端末装置の数（各監視者の端末装置が１個であるとすると、監視者の数）としては、それぞれ、種々な数が用いられてもよく、例えば、多数であることが好ましい。
また、複数のカメラは、例えば、それぞれ、監視対象となる異なる場所に設置される。なお、１つの監視対象に、違う角度などで２個以上のカメラが設置されてもよい。
【００１１】
また、カメラにより撮像された画像としては、例えば、リアルタイムな画像（ライブ画像）が用いられてもよく、或いは、メモリなどに記録（記憶）された過去の画像（記録画像）が用いられてもよい。
また、多数の画像の中で、重要度が高いもの（例えば、アクセス数が多いもの）や、マーキングされたものや、顔画像が映っているものなどを抽出し、また、画像のレベルに複数の段階を設けて、各段階毎のメモリに該当する画像を記録するような構成が用いられてもよい。
【００１２】
また、画像へのアクセスとしては、種々な態様が用いられてもよく、例えば、画像を閲覧した場合にアクセスしたとみなすような態様を用いることができる。
一例として、管理サーバがネットワークを介して端末装置に対して画像を提供するようにし、管理サーバが端末装置からの各画像へのアクセスの状況（例えば、数）を検出することができる。ネットワークとしては、種々なものが用いられてもよく、例えば、インターネットなどを用いることができる。
【００１３】
また、端末装置からのアクセスの数に関する情報としては、種々なものが用いられてもよく、例えば、アクセスの数自体の情報や、或いは、全体のアクセスの数に対する割合の情報などを用いることができる。
また、カメラ或いは（カメラにより撮像された）画像に関する情報としては、種々なものが用いられてもよい。例えば、カメラに関する情報としては、地図上におけるカメラの設置位置に配置された所定のアイコンや、カメラの名称や識別番号や監視対象や設置位置などの情報を用いることができる。また、画像に関する情報としては、画像自体や、画像の名称や識別番号や監視対象や撮像時刻やカメラの設置位置などの情報を用いることができる。
【００１４】
また、端末装置からのアクセスの数に応じた態様で提示する手法としては、種々なものが用いられてもよく、例えば、地図上にアクセスの数を表すグラフや数値を表示する手法や、横軸を時刻として縦軸をアクセスの数として、時系列的にアクセスの数を表示する手法や、アクセスの数が多い方からの順で又はアクセスの数が少ない方からの順で一覧表示する手法や、アクセスの数が所定の条件（例えば、所定の閾値以上などの条件）を満たすもののみを抽出して表示する手法などを用いることができる。
また、提示としては、例えば、端末装置が有する画面に視覚的に表示する構成を用いることができる。
【００１５】
また、監視者による操作としては、種々なものが用いられてもよく、例えば、端末装置が有するキーボードやマウスなどにより受け付けられる操作を用いることができる。
また、監視者による操作に応じた処理としては、種々なものが用いられてもよく、例えば、画像の閲覧の処理や、画像の検索の処理や、カメラや画像に対するコメントの入力の処理や、カメラや画像の指定（選択）の処理や、画像の照合の処理や、画像に対するマーキングの処理や、画像中に異常を見つけた場合などにおける管理側などに対する通報の処理や、画像の保存の処理や、画像の削除の処理などを用いることができる。
【００１６】
また、端末装置からのアクセスの数が多いカメラ或いは画像や、端末装置からのアクセスの数が少ないカメラ或いは画像や、端末装置からのアクセスの数がゼロであるカメラ或いは画像について、監視者の注意を喚起するような情報を端末装置により監視者に対して提示するような手段を備えることもできる。なお、アクセスの数が多い、少ないについては、例えば、所定の閾値との大小関係により決定することができる。
ここで、監視システムに備えられる各手段については、例えば、１つの手段が１つの装置に備えられる構成が用いられてもよいばかりでなく、１つの手段が複数の異なる装置に分散されて備えられる構成が用いられてもよい。
【発明の効果】
【００１７】
以上説明したように、本発明に係る監視システムによると、例えば、オープン型の映像（画像）の監視において、効果的な監視を行うことが可能となる。
【発明を実施するための最良の形態】
【００１８】
本発明に係る実施例を図面を参照して説明する。
図１には、システム全体を表すシステム系統図として、本発明の一実施例に係るオープン型監視システムの構成例を示してある。
本例のオープン型監視システムは、複数のＷＥＢカメラ１と、複数の監視契約者の監視端末２と、インターネットサービスプロバイダ（ＩＳＰ）３と、本サービス提供業者（そのシステム）４と、警察庁又は消防庁（そのシステム）５と、インターネット６を備えている。
【００１９】
ＩＳＰ１１は、当該ＩＳＰ３とインターネット６を接続するルータ１１と、一次記録用蓄積・配信サーバ１２と、二次記録用蓄積・配信サーバ１３と、三次記録用蓄積・配信サーバ１４を備えている。なお、ルータ１１は、インターネットなどを介して、ＷＥＢカメラ１や監視端末２と接続される。
サービス提供業者４は、本サービス提供業者４とインターネット６を接続するためのルータ２１と、管理サーバ２２と、画像検索・照合サーバ２３を備えている。
警察庁又は消防庁５は、当該警察庁又は消防庁５とインターネット６を接続するためのルータ３１と、当該警察庁又は消防庁５のサーバ３２を備えている。
【００２０】
ＷＥＢカメラ１は、監視画像を撮像する監視カメラであり、設置位置による緯度、経度情報を有していて本情報はカメラＩＤとして管理サーバ２２で管理される。
監視契約者は、ＩＳＰと本サービスに対する監視契約を結び、例えばパーソナルコンピュータ（端末ＰＣ）からなる監視端末２を用いて本サービスの情報の授受を行う。
【００２１】
ＩＳＰ３は、監視契約者と本サービス提供業者４との仲介を担う。
ルータ１１は、インターネット６に接続するためのネットワークスイッチである。
一次記録用蓄積・配信サーバ１２は、プロバイダに集約される全ＷＥＢカメラ画像を秒１コマ、２４時間常時録画で１週間保存する記録容量を有する画像記録装置である。
二次記録用蓄積・配信サーバ１３は、一次記録画像に対するアクセス数が多い画像（重要画像）、或いは、事件、事故、災害発生時における該当カメラの記録画像のみを選別して記録を行う画像記録装置である。
三次記録用蓄積・配信サーバ１４は、二次記録画像の中から顔画像のみを自動抽出する機能を有しており、顔画像や監視契約者が二次記録画像の中で重要な箇所にマーキングを行った箇所などの静止画像のみを記録する画像記録装置である。
【００２２】
本サービス提供業者４は、本サービスの運営を担い取り纏めを行う業者である。
ルータ２１は、インターネット６に接続するためのネットワークスイッチである。
管理サーバ２２は、本サービスの情報を監視契約者（その監視端末２）に提供するためのＷＥＢページを公開し、カメラ位置情報、地図情報、事件、事故、災害情報などを管理するデータベースを有している。
画像検索・照合サーバ２３は、警察庁又は消防庁５から提供される事件、事故、災害などの画像をもとに、重要画像の中から抽出される顔などの三次記録画像と照合し、該当する画像の有無を検索する機能を有している。
【００２３】
警察庁又は消防庁５のルータ３１は、インターネット６に接続するためのネットワークスイッチである。
警察庁又は消防庁５のサーバ３２は、事件、事故、災害の情報をＩＤとともに管理し、事件、事故、災害の発生の際に本情報を管理サーバ２２へ通知する。
【００２４】
図２には、画像の記録に関する階層イメージの一例を示してある。なお、図２では、図１に示されるものと同様な部分には、同一の符号を付してある。
具体的には、ＷＥＢカメラ１と、ＩＳＰ３と、一次記録用蓄積・配信サーバ１２と、二次記録用蓄積・配信サーバ１３と、三次記録用蓄積・配信サーバ１４と、本サービス提供業者４と、画像検索・照合サーバ２３を示してあり、更に、別のＩＳＰ４１と、当該別のＩＳＰ４１の一次記録用蓄積・配信サーバ５１と、当該別のＩＳＰ４１の二次記録用蓄積・配信サーバ５２と、当該別のＩＳＰ４１の三次記録用蓄積・配信サーバ５３を示してある。
また、伝送の様子として、重要画像のデータ伝送ａ１と、重要画像のデータ伝送やマーキングされた静止画のデータ伝送ａ２と、顔画像やマーキングされた静止画のデータ伝送ａ３と、重要画像の中で特にアクセス数が多い画像のデータ伝送ａ４を示してある。
【００２５】
本例では、カメラからの記録画像は常時録画を行う一次記録用蓄積・配信サーバ１２へ一度蓄えられ、一次記録用蓄積・配信サーバ１２は、記録した画像（一次記録画像）から監視契約者からの再生要求が多い（アクセス数が多い）箇所の記録画像だけを抜き出して、重要画像として二次記録用蓄積・配信サーバ１３へ転送する。
【００２６】
二次記録用蓄積・配信サーバ１３は、監視契約者によりマーキングされた画像箇所のみを抽出した静止画像を三次記録用蓄積・配信サーバ１４へ転送するとともに、再生要求が多い重要画像も提供する。また、事件、事故、災害発生時刻前後の記録画像を一次記録画像の中から抽出し記録を行う。更に、重要画像の中で特に再生要求が多い画像について、他のプロバイダ（ＩＳＰ４１）の二次記録用蓄積・配信サーバ５２へ転送を行う。
二次記録用蓄積・配信サーバ１３に記録される画像（二次記録画像）は、重要度が低いもの（例えば、一定時間アクセスされない画像やアクセス数が極端に低下した画像）から順番に消去を行うものとする。
【００２７】
三次記録用蓄積・配信サーバ１４は、マーキングされた画像箇所を記録するとともに、重要画像の中から顔画像のみを自動抽出して、顔画像を記録する。記憶された画像（三次記録画像）である抽出された顔画像やマーキング画像は本サービス提供業者４の画像検索・照合サーバ２３へ転送され、本サーバ２３で警察庁又は消防庁５から提供される画像と照合し、犯人や災害現場に該当する映像が存在する場合には、画像に付加されるコメント情報（例えば、カメラ位置や時刻、監視契約者が書き込んだコメントなどの情報）とともに警察庁又は消防庁５へ通知される。
本例では、このように記録を階層的に行うことで、重要な画像が本サービス提供業者４に集約される仕組みとなっている。
【００２８】
図３には、監視契約者（その監視端末２）に対する本サービスのＷＥＢ画面の一例を示してある。
本例における本サービスのＷＥＢ画面６１では、カメラ映像の表示エリア７１と、地図の表示エリア７２と、ライブ映像や記録映像のアクセス数の表示エリア７３と、カメラ情報、コメント表示／入力、検索操作、通報操作のためのエリア７４、事件、事故、災害情報の表示エリア７５が設けられている。
【００２９】
図４には、地図表示エリア７２のイメージの一例を示してある。
本例の地図表示エリア７２には、地図（地図を図示したもの）８１と、各ＷＥＢカメラ１に対して現在のアクセス数を棒グラフで表したもの８２と、地図上に配置されたカメラアイコンであってアクセス数が少ないＷＥＢカメラ１を表すもの９１と、地図上に配置されたカメラアイコンであってアクセス数がやや多いＷＥＢカメラ１を表すもの９２と、地図上に配置されたカメラアイコンであってアクセス数が非常に多いＷＥＢカメラ１を表すもの９３が表示される。
【００３０】
ここで、カメラへのアクセス数の度合い（本例では、少ない、やや多い、非常に多い）は、例えば、カメラへのアクセス数と所定の閾値（例えば、少ないとやや多いとの境界となる閾値や、やや多いと非常に多いとの境界となる閾値）との大小関係により決定される。
【００３１】
本例では、カメラアイコン９１〜９３は、監視契約者によるカメラ選択機能も兼ねている。
監視契約者は、アクセス数を視覚的に把握することが可能であると同時に、アクセス数の少ないカメラを探して、映像を閲覧することが可能になる。
アクセス数が多いカメラは、カメラの配信能力が限られるため、多数の監視契約者が接続すると画像フレームの更新速度が遅くなる欠点があり、このため、本画面６１を用いてアクセス数が少ないカメラを優先的に選択して監視を行うことは、監視契約者にとってもネットワーク負荷から考えても非常に有効に活用できる。
【００３２】
図５には、ライブ映像のアクセス数表示エリア７３のイメージの一例を示してある。
本例のアクセス数表示エリア７３では、ライブ映像と録画映像の選択を行う画面１０１がある。
ライブ映像タブが選択され、ＷＥＢカメラ１が選択されたときには、選択されたカメラの過去から現在までのアクセス数を棒グラフで表した画面１０２が表示される。横軸は時間を表しており、縦軸はアクセス数を表している。
また、ライブ映像タブが選択され、ＷＥＢカメラ１が選択されていないとき（カメラ無選択のとき）には、各ＷＥＢカメラ１に関する情報をカメラのアクセス数順で上から一覧表示した画面１０３が表示される。この画面内の左端にカメラ選択ボタン１０４が配置されている。
【００３３】
監視契約者は、選択されたカメラの過去から現在までのアクセス数の表示画面１０２の中で、過去の映像を再生表示したい範囲をカーソルで指定することができ、これにより、システムはその再生表示を行う。
また、監視契約者は、アクセス数順で表示される画面１０３からカメラ選択ボタン１０４を押下することができ、これにより、システムは選択されたカメラの画面へ遷移する。また、アクセス数が多い順のカメラ一覧表示画面１０３の中には、アクセス数とともに、監視対象、事件や事故や災害などの事象、重要画像の有無など、マーキング画像の有無など、が併せて表示される。これらの情報は、管理サーバ２２から提供される。
【００３４】
図６には、録画映像のアクセス数表示エリア７３のイメージの一例を示してある。
本例のアクセス数表示エリア７３では、ライブ映像と録画映像の選択を行う画面１１１（図５に示される画面１０１と同じもの）がある。
録画映像タブが選択され、ＷＥＢカメラ１が選択されたときには、選択されたカメラの記録映像に対する過去から現在までの再生要求のアクセス数を棒グラフで表した画面１１２が表示される。横軸は時間を表しており、縦軸はアクセス数を表している。
録画映像タブが選択され、ＷＥＢカメラ１が選択されていないとき（カメラ無選択のとき）には、各ＷＥＢカメラ１に関する情報を記録映像の再生アクセス数順で上から一覧表示した画面１１３が表示される。この画面内の左端に再生選択ボタン１１４が配置されている。
また、例えば画面１１２において、所定の画像を重要画像として登録する際のコメント入力画面１１５がある。
【００３５】
過去から現在までの再生要求アクセス数表示画面１１２では、監視契約者は、手動で再生、早送り、巻き戻しなど、ＶＴＲを操作するような動作が可能であると同時に、時刻を指定することで、システムに時刻検索再生を行わせることができる。また、この画面１１２の中で、監視契約者は、再生範囲をカーソルで指定することで、システムに再生を行わせることが可能である。
【００３６】
また、この画面１１２では、監視契約者は、範囲を指定して、指定された範囲の録画画像を重要画像として登録することが可能である。画像の指定範囲を登録する際には、コメント入力画面１１５が表示され、本例では、監視契約者は、その画像が何であるかについてコメントを書き入れる必要がある。画面１１２では、再生表示中は再生ポイント線が本グラフ中に表示され、いずれのポイントを現在再生中であるかが示される。
但し、本例のコメント入力画面１１５では、緯度、経度、住所、監視対象の項目は、システムにより自動的に記載される。本画像が事件、事故、災害と結びつく場合には、監視契約者は、事件、事故、災害の情報とＩＤを記載する必要がある。また、重要画像については、再生要求アクセス数が特に多いものを管理サーバ２２は自動的に重要画像として登録することができる。アクセス数が特に多いものとしては、例えば、全体のアクセス数の中から所定の閾値以上（例えば、最大値の９０％以上など）のアクセス件数が確認された場合に重要画像と判断するものとする。
【００３７】
また、アクセス数が多い順のカメラ一覧表示画面１１３の中には、アクセス数とともに、監視対象、事件や事故や災害などの事象、録画画像時刻など、が併せて表示される。これらの情報は、管理サーバ２２から提供される。
【００３８】
図７には、画像検索時における、カメラ情報、コメント表示／入力、検索操作、通報操作のためのエリア７４のイメージの一例を示してある。
このエリア７４には、画像検索と画像照合の選択画面１２１がある。
画像検索が選択されると、コメント入力と画像検索のための画面１２２が表示される。
検索した結果として、カメラ一覧表示画面１２３が表示される。
【００３９】
コメント入力画像検索画面１２２では、ＷＥＢカメラ１が選択されていないとき（カメラ未選択時）には、緯度、経度、住所、監視対象、及びそのほかの全ての入力が可能であり、検索ボタンを押下することで検索したいカメラを探すことが可能である。ＷＥＢカメラ１が選択されているとき（カメラ選択時）には、現在のカメラの情報が、緯度、経度、住所、監視対象、及び（該当すれば）そのほかに表示される。検索ボタンを押下すると、検索結果としてカメラ一覧表示画面１２３が表示され、監視契約者は、カメラ選択ボタン１２４を押下することで、該当するカメラ映像をシステムにより表示させることが可能である。
カメラ一覧表示画面１２３の中には、緯度、経度、住所、監視対象などが表示される。
【００４０】
図８には、画像照合時における、カメラ情報、コメント表示／入力、検索操作、通報操作のためのエリア７４のイメージの一例を示してある。
このエリア７４には、画像検索と画像照合の選択画面１３１（図７に示される画面１２１と同じもの）がある。
ここで、重要画像の中でマーキングされた画像、重要画像の中から三次記録用蓄積・配信サーバ１４で自動抽出された顔画像については、定期的に画像検索・照合サーバ２３へ転送され、画像検索・照合サーバ２３では受信した画像について自動的に予め登録されてある照合対象画像（例えば、指名手配犯の顔画像や、警察庁又は消防庁から送られてくる事件、事故、災害の画像）と照合するが、本例では、監視契約者が手動で、画像検索・照合サーバ２３で持っている照合対象画像との比較を行うこともできる。
【００４１】
画像照合が選択されたときには、画像照合設定画面１３２が表示される。画像照合設定画面１３２では、監視契約者は、照合を行いたい画像を検索し、具体例としては、三次記録用蓄積・配信サーバ１４に記録されているマーキング画像や顔抽出画像の中から、検索条件を文字入力することで、該当する画像を検索することができる。
【００４２】
この場合、画像照合設定画面１３２の中の検索ボタン１３５が押下されると、検索条件入力画面１３３が表示される。検索条件入力画面１３３では、検索条件として、緯度、経度、住所、監視対象などを入力することができる。
検索条件入力画面１３３の中の検索ボタン１３６が押下されると、照合画像選択画面１３４が表示される。照合画像選択画面１３４では、検索結果が一覧表示され、監視契約者は、その中から照合を行いたい画像を選択することができる。
ここで、照合画像選択画面１３４には、選択ボタン１３７、時刻、監視対象、事件や事故の情報、コメント、画像が表示される。
【００４３】
照合画像選択画面１３４において監視契約者により選択ボタン１３７が押下されて選択された画像が画像照合設定画面１３２に貼り付けられ、監視契約者が照合ボタン１３８を押下すると、システムにより、画像検索・照合サーバ２３へ本画像が転送され、照合が開始される。この照合結果が画像照合設定画面１３２内に表示される。そして、犯人の顔画像と一致するなど、事件、事故、災害に対して重要な画像であると考えられる場合には、監視契約者が通報ボタン１３９を押下することで通報を行うことができる。
【００４４】
図９には、事件、事故、災害情報の表示エリア７５のイメージの一例を示してある。
このエリア７５には、事件、事故、災害などについて、警察庁や消防庁から送られてきた情報がＩＤとともに一覧表示される。具体的には、時刻、ＩＤ、事象、住所、近傍のカメラ、コメントが表示される。
監視契約者は、この中から、監視したい事象に対して、近傍カメラ選択ボタン１４０を押下することで、選択したカメラ画像をモニタすることが可能である。
【００４５】
図１０には、マーキング方法や画像抽出のイメージの一例を示してある。
まず、ライブ映像又は再生画像である画像１４１を示してある。この画像１４１の中に映っている特定の対象物（本例では、人物）１４２が、監視契約者による操作によって、マーキングされている。そして、マーキングされた対象物１４２について、マーキング情報入力画面１４３が表示される。
マーキング情報入力画面１４３では、緯度、経度、住所、監視対象、コメントなどの情報を入力することができる。
【００４６】
例えば、一次記録画像の再生中に何らかの異常（例えば、事故発生現場や不審者など）を発見した場合には、監視契約者は、再生静止を行い、画面１４１内で該当する箇所にマウスで範囲を指定してマーキングを行う。マーキングを行うと、マーキング情報入力画面１４３が表示され、その画像が何であるかの情報を設定することができる。この情報を設定した後に監視契約者が保存ボタン１４４を押下すると、マーキングされた部分が切り出されて、二次記録用蓄積・配信サーバ１３からこの画像が三次記録用蓄積・配信サーバ１４へ転送されて保存されるとともに、監視契約者が設定した情報も同時に三次記録用蓄積・配信サーバ１４に保存される。この画像は、管理サーバ２２からの要求に応じて画像検索・照合サーバ２３へ転送され、画像検索・照合サーバ２３で事件、事故、災害などの画像との照合を行う。
【００４７】
図１１には、監視業務請負業者を追加したシステム系統図として、本発明の一実施例に係るオープン型監視システムの構成例を示してある。なお、図１１では、図１に示されるものと同様な部分については、同一の符号を付してある。
本例のオープン型監視システムは、図１に示されるものと同様な構成部として、複数のＷＥＢカメラ１と、複数の監視端末２と、ＩＳＰ３と、サービス提供業者４と、警察庁又は消防庁５と、インターネット６を備えており、更に、本例では、監視業務請負業者（そのシステム）１５１を備えている。
監視業務請負業者１５１は、当該監視業務請負業者１５１とインターネット６を接続するためのルータ１６１と、当該監視業務請負業者１５１の監視端末１６２を備えている。
【００４８】
例えば、本サービスの全体にＷＥＢカメラ映像を公開したくない被監視契約者が存在すると考えられる。具体的には、官公庁や地方自治体や空港や鉄道などは、公共性の高い設備を監視するため、安易に監視カメラ映像を公開しないことが一般的である。
このような監視に対して本サービスを提供する際には、特定の監視契約者のみが映像を閲覧することができるシステムを構築する必要がある。そこで、本例では、インターネットＶＰＮ（Ｖｉｒｔｕａｌ  Ｐｒｉｖａｔｅ  Ｎｅｔｗｏｒｋ）サービスにより特定の監視業務請負業者１５１に監視業務委託を行うことで、重要設備などのセキュリティ性が高い監視に本サービスを適用することができる。
【００４９】
図１２には、本例のオープン型監視システムのビジネス運営体系の一例を示してある。
本サービス提供業者２０１は、警察庁／消防庁２０２へ事件解決に有用な画像の提供、通報を行うことで、それに対する報奨金の支払いを受ける。本サービス提供業者２０１は、監視契約者２０５、インターネットプロバイダ２０４、警察庁／消防庁２０２の仲介を担うとともに、大多数の監視契約者２０５へＷＥＢページの提供を行う。
【００５０】
ＷＥＢページは大多数のアクセスを受けることが想定されるため、企業のバナー広告などを掲載することで広告宣伝収入を得ることができる。監視契約はプロバイダ２０４に任せることで、契約料金は各プロバイダ２０４に委ねるものとする。プロバイダ２０４は、一般ユーザや監視業務請負業者２０７と監視契約を結ぶ。被監視契約者２０６はもともと契約しているプロバイダ２０４から本システムへの加入契約を結ぶことで監視カメラの提供を受ける。被監視契約者２０６は本システムに加入することで損害時などの証拠画像を所持できる可能性が高まるため、損害保険業者２０８から優遇措置を受けることができる。本サービス提供業者２０１は、本サービスの発展のために、得られた広告収入をもとに製造業者２０３からカメラなどを購入し、プロバイダ２０４に提供することもできる。カメラ台数、監視契約者２０５、被監視契約者２０６の数が増えれば増えるほど、本サービスの質が向上し、各々が得られる利益も増加する。
【００５１】
以上のように、本例の監視システムは、インターネット６を介してＷＥＢカメラ１により撮像される画像を監視するに際して、不特定多数の監視契約者（監視端末２）が監視並びに異常発生時の通報を行うオープン型監視システムである。
本例のオープン型監視システムでは、監視契約を結んだ不特定多数の監視者が、インターネット６に公開されたＷＥＢカメラ１の映像をモニタするとともに必要に応じて通報を行うことで、カメラ台数が非常に多い大規模な監視を可能にすることができる。これにより、監視漏れが生じることなく大多数のＷＥＢカメラ１の画像を効率的に監視することが可能になる。
【００５２】
また、カメラを使用した監視において、監視者（監視契約者）からのアクセス数をカウントし、アクセス数に応じてライブ画像や録画画像に関する情報をグラフ表示や一覧表示などすることにより、監視者により見たい画像の検索などを容易に行えるようにすることができる。
例えば、アクセス数が多い順でＷＥＢカメラ１や記録画像を一覧表示することにより、重要監視ポイントや重要監視画像を容易に選択や提供することができる。また、アクセス数に応じて重要監視ポイントや重要監視映像を監視契約者に通知することで効率的に監視を行うことができるとともに、アクセス数ゼロを未監視カメラと断定して、未監視カメラ映像だけを提供することで、監視漏れが起きないようにすることが可能である。更に、記録映像をコメント付きで提供することで、記録画像が何であるかを、映像を見る前に把握させることが可能になる。
【００５３】
このように、ＷＥＢカメラ１に対するアクセス数を常時監視することで、アクセス数が多いカメラを重要監視ポイントと位置付け、アクセス数が多い再生画像を重要画像と位置付け、監視契約者に対して見たい画像の検索を容易に行わせることができる。逆に、アクセス数が少ないカメラを未監視カメラと判断することで、優先的に本カメラ画像を監視契約者へ提供することが可能になる。
【００５４】
また、ＷＥＢカメラ１の映像が段階的に記録されることから、常時記録画像、重要画像、顔画像などの映像を監視契約者へ提供するとともに、見たい画像を文字情報や画像情報で検索することができる。このように、インターネット６に公開される大多数のＷＥＢカメラ１の画像に対して、階層的な記録方式を採用することで、監視契約を結んだ不特定多数の監視者により効率的に画像を監視することが可能になる。
【００５５】
また、警察庁や消防庁のサーバ３２と連携することで、事件、事故、災害の情報から瞬時に該当する監視カメラや記録画像を検索することが可能になる。例えば、本システムに警察庁や消防庁からの情報を取り入れ、ＷＥＢカメラ１のライブ画像や記録画像とリンクさせることで、現在発生した事故、事件、災害に対して解決に有効な情報（例えば、犯人の顔画像や撮影された場所、災害発生時の画像など）を提供することが可能になる。
【００５６】
また、蓄積・配信サーバ１２〜１４が階層的に分散配置されることで、ネットワークへの負荷分散を行うことができる。例えば、重要画像の中で特にアクセス数が多い画像を自動的に分散記録させることで、故障などにより重要画像が消滅するリスクの回避、ネットワークへの負荷分散が可能になる。
本サービスは、カメラ台数、監視契約者、被監視契約者が増えるほど、サービスの質が向上すると考えられる。
【００５７】
以下で、本例のオープン型監視システムの構成例として、（構成例１）〜（構成例１８）を示す。なお、各構成例は、実用上で有効な範囲で、任意に組み合わされてもよい。
（構成例１）インターネット６を介してＷＥＢカメラ１の画像を監視する監視システムにおいて、不特定多数の監視契約者（監視端末２）が監視並びに異常発生時の通報を行うオープン型監視システム。
インターネット利用者が本システムのサービス提供業者４と監視契約を結ぶことで、インターネット６へ公開される大多数のＷＥＢカメラ１の画像を大人数で監視並びに通報を行うことができる。
【００５８】
（構成例２）上記した監視システムにおいて、アクセス数が多いカメラを重要監視ポイントとする監視システム。
例えば、アクセス数が多い順にＷＥＢカメラ１を視覚的に表示することで、重要監視ポイントを監視契約者へ通知することができる。
【００５９】
（構成例３）上記した監視システムにおいて、カメラ画像の記録、再生画像の提供を行う蓄積・配信サーバ１２〜１４を設置することで、再生アクセス数が多い記録画像を重要画像とする監視システム。
カメラ画像の記録、再生画像の提供を行う蓄積・配信サーバ１２〜１４を設置することで、管理サーバ２２は、蓄積・配信サーバ１２〜１４に対するアクセス数を常時監視し、再生画像に対するアクセス数が多い記録画像を重要画像とすることができる。
【００６０】
（構成例４）上記した監視システムにおいて、アクセス数が多い順に並べられたＷＥＢカメラ１、記録画像の情報を監視契約者へ提供することで、容易に重要な監視ポイント、重要画像を閲覧や検索などできるようにした監視システム。
例えば、アクセス数が多い順に並べられたＷＥＢカメラ１、記録画像の一覧表示画面を監視契約者へ提供することで、容易に重要な監視ポイント、重要画像を閲覧や検索などできるようにする。例えば、ＷＥＢカメラ１（ライブ映像）については現在のアクセス数を用いることができ、記録画像については過去から現在までの累積のアクセス数を用いることができる。
【００６１】
（構成例５）上記した監視システムにおいて、警察庁や消防庁から提供される事件、事故などのＩＤ管理された情報を本システムに取り込むことで、本システムの管理サーバ２２は、監視契約者に対して発生場所近傍のＷＥＢカメラ１の画像に容易に接続できるＷＥＢページを提供する監視システム。
例えば、警察庁や消防庁から提供される事件、事故、災害などのＩＤ管理された情報を本システムに取り込むことで、本システムの管理サーバ２２は、監視契約者に対して発生場所近傍のＷＥＢカメラ１並びに事件、事故、災害発生推定時刻の記録画像の一覧画面を提供する。監視契約者は、容易に、該当する画像を選択や検索などすることができる。警察庁や消防庁に設置されるサーバ３２は、本システムへ接続され、事件、事故、災害などの情報がＩＤ管理されたデータベースを有し、本システムの管理サーバ２２へ本情報を提供することができる。
【００６２】
（構成例６）上記した監視システムにおいて、管理サーバ２２は、各ＷＥＢカメラ１と位置情報がリンクしたデータベースを所有し、地図上にＷＥＢカメラ１（例えば、そのアイコン）を配置したＷＥＢ画面（例えば、地図画面）を監視契約者に提供することができ、また、アクセス数が多いカメラについてはマップ上に特定の色で表示（例えば、赤色表示）することや、或いは、アクセス数を棒グラフとしてカメラ位置と対応付けて表示することで、視覚的に重要監視ポイントを監視契約者へ通知することができる監視システム。
【００６３】
（構成例７）上記した監視システムにおいて、ＷＥＢカメラ１は設置時に設置位置である経度、緯度の情報をカメラに設定して本情報を管理サーバ２２へ通知することで、管理サーバ２２で特に設定することなくカメラを設置するだけで自動的にカメラ配置地図が作成される監視システム。
例えば、ＷＥＢカメラ１は設置時に設置位置である経度、緯度の情報をカメラに設定し、カメラは初回起動時に本情報を管理サーバ２２へ通知することで、管理サーバ２２側で特別な設定を行うことなくカメラを設置するだけで自動的にカメラ配置地図が作成される。また、本位置情報は、カメラＩＤとして管理サーバ２２でデータベース管理される。
【００６４】
（構成例８）上記した監視システムにおいて、ＷＥＢカメラ１へのアクセス数が多い順番でシーケンシャル表示することができる監視システム。
例えば、ＷＥＢカメラ１へのアクセス数が多い順番で、ＷＥＢカメラ１の自動切換表示を行うシーケンシャル表示をすることができる。ここで、シーケンシャル表示とは、アクセス数が多いＷＥＢカメラ１に対して順次アクセスし、ＷＥＢ画像を監視契約者の端末（監視端末２）に表示するモードにおける表示である。
【００６５】
（構成例９）上記した監視システムにおいて、蓄積・配信サーバを役割に応じてプロバイダ３、本サービス提供業者４に段階的に配置することで、各蓄積・配信サーバでＷＥＢカメラ映像の一次記録（例えば、各ＷＥＢカメラ画像を２４時間常時録画で１週間保存など）、二次記録（例えば、重要画像のみ記録など）、三次記録（例えば、顔画像、監視契約者によるマーキング画像のみ記録など）を行い、監視契約者の要求に応じて記録画像及び検索画像を提供することができる監視システム。
なお、サービス提供業者４では、例えば、画像検索・照合サーバ２３を蓄積・配信サーバとして用いることができる。
ここで、一次記録とは、例えば、プロバイダ３に設置される蓄積・配信サーバ１２でプロバイダ３に集約される各ＷＥＢカメラ１からの画像を秒１コマ、２４時間常時録画で１週間保存する記録である。二次記録とは、例えば、一次記録画像に対するアクセス数が多い画像（重要画像）、或いは、事件、事故、災害発生時における該当カメラの記録画像のみを抽出して記録を行う記録である。三次記録とは、例えば、二次記録画像の中で顔画像のみを自動抽出したものや、監視契約者が二次記録画像の中で重要な箇所にマーキングを行ったものなどの静止画像を記録する記録である。
【００６６】
（構成例１０）上記した監視システムにおいて、任意の監視契約者は提供される記録画像にコメントを入力することで記録画像が何であるかを設定することができ、別の監視契約者は後に本記録映像を閲覧するときに映像を見る前にその映像が何であるかを把握することができる監視システム。
例えば、任意の監視契約者は再生要求に応じて提供される記録画像にコメントを入力することで記録画像が何であるかを設定することができ、本コメント情報は記録画像のデータフレームヘッダに記録されて蓄積・配信サーバに再保存される。そして、別の監視契約者が後に本記録映像を閲覧するときには、映像を見る前にその映像が何であるかを把握することができる。
【００６７】
（構成例１１）上記した監視システムにおいて、任意の監視契約者は提供された記録画像から重要と思われる映像を静止画でキャプチャすることができ、静止画の重要箇所（例えば、犯人の顔など）にマーキングを行うことができるとともに、マーキング部分のみを抽出した映像の記録、顔画像の検索、類似画像の検索を行うことができる監視システム。
例えば、任意の監視契約者は要求に応じて提供される記録画像から重要と思われる映像を静止画でキャプチャすることができ、静止画の重要箇所にマーキングを行うことができ、これにより、マーキング部分のみを抽出した映像が三次記録画像としてプロバイダ３に設置される蓄積・配信サーバ１４で記録される。本サービス提供業者４に設置されるマスタ蓄積・配信サーバ（例えば、画像検索・照合サーバ２３）で、本画像の収集と、予め所有している各ＷＥＢカメラ１からの映像（静止画）や指名手配犯などの顔画像や警察庁又は消防庁から提供される画像との照合を行うなど、顔画像検索や類似画像検索を行うことができる。
【００６８】
（構成例１２）上記した監視システムにおいて、重要画像の中から特にアクセス数が多い記録映像を別のプロバイダ４１に設置される全ての蓄積・配信サーバへ転送し、記録を行うことで、監視契約者が本記録映像を閲覧するときにネットワークの負荷を軽減できるとともに多数の監視契約者に同時に映像を提供することができる監視システム。
例えば、重要画像（二次記録画像）の中から特にアクセス数が多い記録映像を別のプロバイダ４１に設置される全ての蓄積・配信サーバへ転送して、当該蓄積・配信サーバが本画像を記録することで、監視契約者が本記録映像を閲覧するときに１箇所の蓄積・配信サーバへアクセスすることなくネットワークの負荷を軽減できるとともに多数の監視契約者に同時に映像を提供することができる。
【００６９】
（構成例１３）上記した監視システムにおいて、ＷＥＢカメラ１の情報、記録画像の情報（例えば、監視契約者が設定したコメントの情報など）はカテゴリ別（例えば、監視ポイントや監視対象物などの別）に管理サーバ２２でデータベース管理され、監視契約者は見たい画像の文字情報を入力することで画像検索を容易に行うことができる監視システム。
例えば、設置時に登録されるＷＥＢカメラ１の情報や、二次記録画像の情報（例えば、監視契約者が設定したコメントの情報など）はカテゴリ別に管理サーバ２２でデータベース管理され、監視契約者は見たい画像の文字情報を入力することで画像検索を容易に行うことができる。二次記録画像の情報は、蓄積・配信サーバで記録画像の中に保存されるとともに、管理サーバ２２へも本情報が通知され、管理サーバ２２でＷＥＢカメラ１の情報や、事件、事故情報などとともに管理される。
【００７０】
（構成例１４）上記した監視システムにおいて、監視契約者はＷＥＢカメラ１のライブ画像や記録画像を閲覧し、指名手配犯を捉えた画像や事故発生現場を捉えた画像などを見つけた場合には、ＷＥＢ画面上から通報することが可能である監視システム。
例えば、監視契約者は、ＷＥＢカメラ１のライブ画像や記録画像を閲覧し、指名手配犯を捉えた画像や事故発生現場を捉えた画像などを見つけた場合には、ＷＥＢ画面上から静止画とともに本サービス提供業者４へ通報を行う。通報内容は、例えば、現在発生している事件、事故、災害などとくくり付けされる場合、該当するＩＤとともに通報される。本サービス提供業者４は、通報された情報が事件、事故、災害に対するものとして有効であると判断された場合には、警察庁や消防庁へ通報する。
【００７１】
（構成例１５）上記した監視システムにおいて、二次記録を行う蓄積・配信サーバ１３は、監視契約者からのアクセスを一定時間受けないか或いはアクセス数の減少から重要度が低下したと判断された場合には、重要度が低い記録画像から順に消去を行う監視システム。
これにより、記録容量を有効活用することができる。
【００７２】
（構成例１６）上記した監視システムにおいて、アクセス数ゼロのカメラを未監視カメラと判断することで、未監視カメラのみをシーケンシャルに監視する監視モードを有する監視システム。
例えば、現在においてアクセス数がゼロであるカメラ、又は、アクセス数が過去から極端に少ないカメラを未監視カメラと判断することで、未監視カメラのみをシーケンシャルに監視するモードを有する。
【００７３】
（構成例１７）上記した監視システムにおいて、警察庁や消防庁へ画像（例えば、重要画像など）の提供、通報を行うことで、それに対する報奨金が支払われる。本サービス提供業者４は、監視契約者、プロバイダ３、警察庁や消防庁の仲介を担うとともに、大多数の監視契約者へＷＥＢページを提供することで、広告宣伝収入を得ることができる。カメラ台数、監視契約者、被監視契約者の数が増えれば増えるほど、本サービスの質が向上して、得られる利益も増加するビジネスの実現が可能であると考えられる。
【００７４】
（構成例１８）上記した監視システムにおいて、本サービス全体にＷＥＢカメラ映像を公開したくない被監視契約者に対しては、インターネットＶＰＮサービスにより特定の監視請負業者１５１に監視業務委託を行うことで、重要設備などのセキュリティ性が高い監視を本サービスで運用することが可能なビジネスの実現が可能であると考えられる。
【００７５】
なお、本例のオープン型監視システムでは、複数のＷＥＢカメラ１により複数のカメラが構成されており、複数の監視契約者が複数の監視者に相当しており、複数の監視端末２により複数の端末装置が構成されている。また、例えばサービス提供業者４の管理サーバ２２（或いは、他の装置）により各ＷＥＢカメラ１や各画像に対する監視端末２からのアクセスの数に関する情報を検出する機能により検出手段が構成されており、例えば管理サーバ２２から監視端末２へ送信される情報によってＷＥＢカメラ１や画像に関する情報をアクセスの数に応じた態様で監視端末２の画面に表示（提示）する機能により提示手段が構成されており、監視端末２により監視契約者からの操作を受け付ける機能により受付手段が構成されており、監視契約者による操作により指示された各種の処理を管理サーバ２２や画像検索・照合サーバ２３などにより実行する機能により実行手段が構成されている。
【００７６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００７７】
【図１】本発明の一実施例に係るオープン型監視システムの構成例を示す図である。
【図２】画像の記録に関する階層イメージの一例を示す図である。
【図３】監視契約者に対する本サービスのＷＥＢ画面の一例を示す図である。
【図４】地図表示エリアのイメージの一例を示す図である。
【図５】ライブ映像のアクセス数表示エリアのイメージの一例を示す図である。
【図６】録画映像のアクセス数表示エリアのイメージの一例を示す図である。
【図７】画像検索時における、カメラ情報、コメント表示／入力、検索操作、通報操作のためのエリアのイメージの一例を示す図である。
【図８】画像照合時における、カメラ情報、コメント表示／入力、検索操作、通報操作のためのエリアのイメージの一例を示す図である。
【図９】事件、事故、災害情報の表示エリアのイメージの一例を示す図である。
【図１０】マーキング方法や画像抽出のイメージの一例を示す図である。
【図１１】本発明の一実施例に係るオープン型監視システムの構成例を示す図である。
【図１２】オープン型監視システムのビジネス運営体系の一例を示す図である。
【符号の説明】
【００７８】
１・・ＷＥＢカメラ、  ２、１６２・・監視端末、  ３、４１・・ＩＳＰ、  ４・・サービス提供業者、  ５・・警察庁又は消防庁、  ６・・インターネット、  １１、２１、３１、１６１・・ルータ、  １２、５１・・一次記録用蓄積・配信サーバ、  １３、５２・・二次記録用蓄積・配信サーバ、  １４、５３・・三次記録用蓄積・配信サーバ、  ２２・・管理サーバ、  ２３・・画像検索・照合サーバ、  ３２・・サーバ、  １５１・・監視業務請負業者、
６１・・ＷＥＢ画面、  ７１・・カメラ映像表示エリア、  ７２・・地図表示エリア、  ７３・・アクセス数表示エリア、  ７４・・各種に使用されるエリア、  ７５・・事件、事故、災害情報表示エリア、  ８１・・地図、  ８２・・現在のアクセス数、  ９１〜９３・・カメラアイコン、
１０１、１１１、１２１、１３１・・選択画面、  １０２、１１２・・アクセス数表示画面、  １０３、１１３・・一覧表示画面、  １０４、１２４・・カメラ選択ボタン、  １１４・・再生選択ボタン、  １１５・・コメント入力画面、  １２２・・コメント入力、画像検索画面、  １２３・・カメラ一覧表示画面、  １３２・・画像照合設定画面、  １３３・・検索条件入力画面、  １３４・・照合画像選択画面、  １３５、１３６・・検索ボタン、  １３７・・選択ボタン、  １３８・・照合ボタン、  １３９・・通報ボタン、  １４０・・近傍カメラ選択ボタン、
１４１・・映像（画像）、  １４２・・マーキングされた対象物、  １４３・・マーキング情報入力画面、  １４４・・保存ボタン、
２０１・・サービス提供業者、  ２０２・・警察庁又は消防庁、  ２０３・・ＷＥＢカメラ又は他のシステムの製造業者、  ２０４・・インターネットプロバイダ、  ２０５・・監視契約者（一般ユーザ）、  ２０６・・被監視契約者（例えば、自治体、商店街等）、  ２０７・・監視業務請負業者、  ２０８・・損害保険業者、
【図１】
0005276353.tif 000002
【図２】
0005276353.tif 000003
【図３】
0005276353.tif 000004
【図４】
0005276353.tif 000005
【図５】
0005276353.tif 000006
【図６】
0005276353.tif 000007
【図７】
0005276353.tif 000008
【図８】
0005276353.tif 000009
【図９】
0005276353.tif 000010
【図１０】
0005276353.tif 000011
【図１１】
0005276353.tif 000012
【図１２】
0005276353.tif 000013